(57)【要約】【課題】ファクシミリ通信により送受信されるデータが、盗聴されたり、改ざんされたりすることを防ぐことができるファクシミリ装置を提供する。【解決手段】ファクシミリ装置１０１は、ＩＰｓｅｃを用いたＩＰ−ＦＡＸ通信の設定時、送信すべき文書を暗号化されたＩＦＰパケットに変換し、該暗号化されたＩＦＰパケットを、ＩＰネットワーク１０３に送出する。ファクシミリ装置１０２においては、ネットワーク制御部２０５がファクシミリ装置１０１から送信された上記暗号化されたＩＦＰパケットを受信すると、該受信したＩＦＰパケットを元の文書に復元する。この復元された文書は、暗号化部２０９により暗号化され、ＨＤ２１０に蓄積される。ＨＤ２１０内の暗号化された文書は、元の文書に復元され、プリンタ部２０２から、印刷出力される。【選択図】図１
2008182475.tif 000002
【特許請求の範囲】
【請求項１】
ＩＰネットワークを介してファクシミリ通信可能なファクシミリ装置であって、
送信すべき画像情報を入力する画像情報入力手段と、
前記入力された画像情報を親展送信することがユーザにより指定されているか否かを判定する第１の判定手段と、
前記第１の判定手段により、前記入力された画像情報を親展送信することが指定されていると判定された場合には、当該入力された画像情報をＩＰｓｅｃにより暗号化して送信し、前記入力された画像情報を親展送信することが指定されていないと判定された場合には、当該入力された画像情報を暗号化することなく送信する送信手段と、
を備えることを特徴とするファクシミリ装置。
【請求項２】
前記送信手段により前記入力された画像情報がＩＰｓｅｃにより暗号化されて送信される場合に、当該画像情報に対して、ＩＰｓｅｃにより暗号化されて送信されたことを示す付加画像情報を付加する付加手段を更に備えることを特徴とする請求項１に記載のファクシミリ装置。
【請求項３】
原稿上の画像を読み取る画像読取手段を更に備え、
前記画像情報入力手段は、前記画像読取手段により読み取られた画像を前記送信すべき画像情報として入力することを特徴とする請求項１または２に記載のファクシミリ装置。
【請求項４】
ＩＰネットワークを介してファクシミリ通信可能なファクシミリ装置であって、
送信すべき画像情報を入力する画像情報入力手段と、
画像情報を暗号化して送信する第１の送信方法、及び画像情報を暗号化することなく送信する第２の送信方法のいずれかを用いて、前記入力された画像情報を送信する送信手段と、
前記送信手段により前記第１の送信方法を用いて前記入力された画像情報が送信される場合に、当該画像情報に対して、暗号化されて送信されたことを示す付加画像情報を付加する付加手段と、
を備えることを特徴とするファクシミリ装置。
【請求項５】
前記送信手段は、前記第１の送信方法を用いて前記入力された画像情報を送信する場合に、当該画像情報をＩＰｓｅｃにより暗号化して送信することを特徴とする請求項４に記載のファクシミリ装置。
【請求項６】
前記入力された画像情報に対して発信元記録情報を付加するか否かを指定する指定手段を更に備え、
前記付加手段は、前記指定手段により前記発信元記録情報を付加することが指定されている場合に、前記付加画像情報を付加すること特徴とする請求項４または５に記載のファクシミリ装置。
【請求項７】
ＩＰネットワークを介してファクシミリ通信可能なファクシミリ装置であって、
前記ＩＰネットワークを介して送信された画像情報を受信する受信手段と、
前記受信した画像情報を暗号化する暗号化手段と、
前記受信した画像情報を記憶する記憶手段と、
前記受信した画像情報がＩＰｓｅｃを用いて暗号化されて送信されたか否かを判定する判定手段と、
前記判定手段により、前記受信した画像情報がＩＰｓｅｃを用いて暗号化されて送信されたと判定された場合に、当該画像情報に対して前記暗号化手段による暗号化を行ってから前記記憶手段に記憶するよう制御し、前記受信した画像情報がＩＰｓｅｃを用いて暗号化されずに送信されたと判定された場合に、当該画像情報に対して前記暗号化手段による暗号化を行わずに前記記憶手段に記憶するよう制御する制御手段と、
を備えることを特徴とするファクシミリ装置。
【請求項８】
ＩＰネットワークを介してファクシミリ通信可能なファクシミリ装置であって、
前記ＩＰネットワークを介して送信された画像情報を受信する受信手段と、
前記受信した画像情報に対して、当該画像情報が暗号化されて送信されたことを示す付加画像情報を付加する付加手段と、
前記受信した画像情報を印刷する印刷手段と、
前記受信した画像情報が暗号化されて送信されたか否かを判定する判定手段と、
前記判定手段により、前記受信した画像情報が暗号化されて送信されたと判定された場合に、当該画像情報に対して前記付加手段による前記付加画像情報の付加を行ってから前記印刷手段により印刷するよう制御し、前記受信した画像情報が暗号化されずに送信されたと判定された場合に、当該画像情報に対して前記付加手段による前記付加画像情報の付加を行うことなく前記印刷手段により印刷するよう制御する制御手段と、
を備えることを特徴とするファクシミリ装置。
【請求項９】
前記受信手段は、ＩＰｓｅｃにより暗号化されて送信された前記画像情報を受信することを特徴とする請求項８に記載のファクシミリ装置。
【請求項１０】
前記受信した画像情報に対して印刷記録情報を付加するか否かを指定する指定手段を更に備え、
前記付加手段は、前記指定手段により前記印刷記録情報を付加することが指定されている場合に、前記付加画像情報を付加すること特徴とする請求項８または９に記載のファクシミリ装置。
【請求項１１】
ＩＰネットワークを介してファクシミリ通信可能なファクシミリ装置の送信処理方法であって、
送信すべき画像情報を入力する画像情報入力工程と、
前記入力された画像情報を親展送信することがユーザにより指定されているか否かを判定する第１の判定工程と、
前記第１の判定工程において、前記入力された画像情報を親展送信することが指定されていると判定された場合には、当該入力された画像情報をＩＰｓｅｃにより暗号化して送信し、前記入力された画像情報を親展送信することが指定されていないと判定された場合には、当該入力された画像情報を暗号化することなく送信する送信工程と、
を備えることを特徴とするファクシミリ装置の送信処理方法。
【請求項１２】
ＩＰネットワークを介してファクシミリ通信可能なファクシミリ装置の送信処理方法であって、
送信すべき画像情報を入力する画像情報入力工程と、
画像情報を暗号化して送信する第１の送信方法、及び画像情報を暗号化することなく送信する第２の送信方法のいずれかを用いて、前記入力された画像情報を送信する送信工程と、
前記送信工程において前記第１の送信方法を用いて前記入力された画像情報が送信される場合に、当該画像情報に対して、暗号化されて送信されたことを示す付加画像情報を付加する付加工程と、
を備えることを特徴とするファクシミリ装置の送信処理方法。
【請求項１３】
ＩＰネットワークを介してファクシミリ通信可能なファクシミリ装置の受信処理方法であって、
前記ＩＰネットワークを介して送信された画像情報を受信する受信工程と、
前記受信した画像情報を暗号化する暗号化工程と、
前記受信した画像情報を記憶する記憶工程と、
前記受信した画像情報がＩＰｓｅｃを用いて暗号化されて送信されたか否かを判定する判定工程と、
前記判定工程において、前記受信した画像情報がＩＰｓｅｃを用いて暗号化されて送信されたと判定された場合に、当該画像情報に対して前記暗号化工程における暗号化を行ってから前記記憶工程で記憶するよう制御し、前記受信した画像情報がＩＰｓｅｃを用いて暗号化されずに送信されたと判定された場合に、当該画像情報に対して前記暗号化工程における暗号化を行わずに前記記憶工程で記憶するよう制御する制御工程と、
を備えることを特徴とするファクシミリ装置の受信処理方法。
【請求項１４】
ＩＰネットワークを介してファクシミリ通信可能なファクシミリ装置の受信処理方法であって、
前記ＩＰネットワークを介して送信された画像情報を受信する受信工程と、
前記受信した画像情報に対して、当該画像情報が暗号化されて送信されたことを示す付加画像情報を付加する付加工程と、
前記受信した画像情報を印刷する印刷工程と、
前記受信した画像情報が暗号化されて送信されたか否かを判定する判定工程と、
前記判定工程において、前記受信した画像情報が暗号化されて送信されたと判定された場合に、当該画像情報に対して前記付加工程における前記付加画像情報の付加を行ってから前記印刷工程で印刷するよう制御し、前記受信した画像情報が暗号化されずに送信されたと判定された場合に、当該画像情報に対して前記付加工程における前記付加画像情報の付加を行うことなく前記印刷工程で印刷するよう制御する制御工程と、
を備えることを特徴とするファクシミリ装置の受信処理方法。
【発明の詳細な説明】
【技術分野】
【０００１】
本発明は、ＩＰネットワークを介してリアルタイムにファクシミリ通信を行うファクシミリ装置、その送信処理方法および受信処理方法に関する。
【背景技術】
【０００２】
近年、多くの通信がＩＰ（Internet Protocol）という共通の基盤を利用したもの、すなわちインターネット、イントラネットなどのＩＰネットワークを介して、ＩＰ（Internet Protocol）を用いた通信へ移行しつつある。
【０００３】
また、ＩＰを用いた通信においては、ＩＰネットワーク上に送出されたデータ（ＩＰパケット）は、常に、盗聴、改ざんなどの脅威にさらされている。これらの脅威からデータを保護するためのセキュリティ手段として、ＩＰパケットの暗号化と認証を行うＩＰｓｅｃ（Internet Protocol Security）を用いた暗号化手段が導入されつつある（詳細はＲＦＣ参照）。
【０００４】
このＩＰｓｅｃには、鍵交換、認証、暗号化の各機能が組み込まれる。鍵交換機能は、認証または暗号化の際に必要になる鍵の情報を安全に交換する機能である。認証機能は、ＩＰパケットにＡＨ（Authentication Header）と呼ばれるヘッダを追加して、送信元に関する認証を行い、悪意の第三者が正規のユーザになりすまして正しくないパケットを送り込むことを防止するための機能である。暗号化機能は、ＩＰパケットにＥＳＰ（Encapsulating Security Payload）と呼ばれるヘッダを追加して、当該ヘッダを含むパケット全体、またはペイロードのみの暗号化を行う機能である。パケット全体の暗号化は、「トンネリングモード」と呼ばれ、ペイロードのみの暗号化は、「トランスモード」と呼ばれる。
【０００５】
一方、ＩＰ（Internet Protocol）を用いた通信は、高速通信を可能しまた通信料金を安価にするという利点から、ファクシミリ通信に適用され、ＩＰを用いたファクシミリ通信（以下、ＩＰ−ＦＡＸ通信という）がＩＴＵ−Ｔ勧告Ｔ．３８に規定されている。このＩＰ−ＦＡＸ通信は、Ｇ３ＦＡＸ送信と同様に、相手端末に接続された状態で直接データを送信する（リアルタイム型）ものである。このＩＰ−ＦＡＸ通信においても、上述したと同様に、データ（ＩＦＰ（Internet Facsimile Protocol）パケット）の盗聴、改ざんなどの脅威にさらされている。
【０００６】
また、公衆回線網とＬＡＮ（Local Area Network）との両方に接続されるマルチ回線対応のファクシミリ装置において、親展文書を暗号化して送信する技術が提案されている（例えば特許文献１参照）。具体的には、マルチ回線対応のファクシミリ装置が公衆回線を介して相手端末から親展文書を受信した場合、当該親展文書は、暗号化された後に、ＬＡＮを介して、サーバに送信される。そして、サーバは、暗号化された親展文書を、ＬＡＮを介して、上記親展文書の宛先であるユーザの端末に配信する。
【特許文献１】特開２００１−２１１３０６号公報
【発明の開示】
【発明が解決しようとする課題】
【０００７】
しかしながら、送信側ファクシミリ装置と受信側ファクシミリ装置とを結ぶ通信経路上において、ファクシミリデータを盗聴、改ざんなどの脅威から保護することは難しい。
【０００８】
よって、ファクシミリ通信により送受信されるデータを、盗聴、改ざんなどの脅威から確実に保護するためのセキュリティを確保することが期待されている。
【０００９】
本発明の目的は、ファクシミリ通信により送受信されるデータが、盗聴されたり、改ざんされたりすることを防ぐことができるファクシミリ装置、送信処理方法および受信処理方法を提供することにある。
【課題を解決するための手段】
【００１０】
本発明は、上記目的を達成するため、ＩＰネットワークを介してファクシミリ通信可能なファクシミリ装置であって、送信すべき画像情報を入力する画像情報入力手段と、前記入力された画像情報を親展送信することがユーザにより指定されているか否かを判定する第１の判定手段と、前記第１の判定手段により、前記入力された画像情報を親展送信することが指定されていると判定された場合には、当該入力された画像情報をＩＰｓｅｃにより暗号化して送信し、前記入力された画像情報を親展送信することが指定されていないと判定された場合には、当該入力された画像情報を暗号化することなく送信する送信手段と、を備えることを特徴とするファクシミリ装置を提供する。
【００１１】
本発明は、上記目的を達成するため、ＩＰネットワークを介してファクシミリ通信可能なファクシミリ装置であって、送信すべき画像情報を入力する画像情報入力手段と、画像情報を暗号化して送信する第１の送信方法、及び画像情報を暗号化することなく送信する第２の送信方法のいずれかを用いて、前記入力された画像情報を送信する送信手段と、前記送信手段により前記第１の送信方法を用いて前記入力された画像情報が送信される場合に、当該画像情報に対して、暗号化されて送信されたことを示す付加画像情報を付加する付加手段と、を備えることを特徴とするファクシミリ装置を提供する。
【００１２】
本発明は、上記目的を達成するため、ＩＰネットワークを介してファクシミリ通信可能なファクシミリ装置であって、前記ＩＰネットワークを介して送信された画像情報を受信する受信手段と、前記受信した画像情報を暗号化する暗号化手段と、前記受信した画像情報を記憶する記憶手段と、前記受信した画像情報がＩＰｓｅｃを用いて暗号化されて送信されたか否かを判定する判定手段と、前記判定手段により、前記受信した画像情報がＩＰｓｅｃを用いて暗号化されて送信されたと判定された場合に、当該画像情報に対して前記暗号化手段による暗号化を行ってから前記記憶手段に記憶するよう制御し、前記受信した画像情報がＩＰｓｅｃを用いて暗号化されずに送信されたと判定された場合に、当該画像情報に対して前記暗号化手段による暗号化を行わずに前記記憶手段に記憶するよう制御する制御手段と、を備えることを特徴とするファクシミリ装置を提供する。
【００１３】
本発明は、上記目的を達成するため、ＩＰネットワークを介してファクシミリ通信可能なファクシミリ装置であって、前記ＩＰネットワークを介して送信された画像情報を受信する受信手段と、前記受信した画像情報に対して、当該画像情報が暗号化されて送信されたことを示す付加画像情報を付加する付加手段と、前記受信した画像情報を印刷する印刷手段と、前記受信した画像情報が暗号化されて送信されたか否かを判定する判定手段と、前記判定手段により、前記受信した画像情報が暗号化されて送信されたと判定された場合に、当該画像情報に対して前記付加手段による前記付加画像情報の付加を行ってから前記印刷手段により印刷するよう制御し、前記受信した画像情報が暗号化されずに送信されたと判定された場合に、当該画像情報に対して前記付加手段による前記付加画像情報の付加を行うことなく前記印刷手段により印刷するよう制御する制御手段と、を備えることを特徴とするファクシミリ装置を提供する。
【００１４】
本発明は、上記目的を達成するため、ＩＰネットワークを介してファクシミリ通信可能なファクシミリ装置の送信処理方法であって、送信すべき画像情報を入力する画像情報入力工程と、前記入力された画像情報を親展送信することがユーザにより指定されているか否かを判定する第１の判定工程と、前記第１の判定工程において、前記入力された画像情報を親展送信することが指定されていると判定された場合には、当該入力された画像情報をＩＰｓｅｃにより暗号化して送信し、前記入力された画像情報を親展送信することが指定されていないと判定された場合には、当該入力された画像情報を暗号化することなく送信する送信工程と、を備えることを特徴とするファクシミリ装置の送信処理方法。
【００１５】
本発明は、上記目的を達成するため、ＩＰネットワークを介してファクシミリ通信可能なファクシミリ装置の送信処理方法であって、送信すべき画像情報を入力する画像情報入力工程と、画像情報を暗号化して送信する第１の送信方法、及び画像情報を暗号化することなく送信する第２の送信方法のいずれかを用いて、前記入力された画像情報を送信する送信工程と、前記送信工程において前記第１の送信方法を用いて前記入力された画像情報が送信される場合に、当該画像情報に対して、暗号化されて送信されたことを示す付加画像情報を付加する付加工程と、を備えることを特徴とするファクシミリ装置の送信処理方法を提供する。
【００１６】
本発明は、上記目的を達成するため、ＩＰネットワークを介してファクシミリ通信可能なファクシミリ装置の受信処理方法であって、前記ＩＰネットワークを介して送信された画像情報を受信する受信工程と、前記受信した画像情報を暗号化する暗号化工程と、前記受信した画像情報を記憶する記憶工程と、前記受信した画像情報がＩＰｓｅｃを用いて暗号化されて送信されたか否かを判定する判定工程と、前記判定工程において、前記受信した画像情報がＩＰｓｅｃを用いて暗号化されて送信されたと判定された場合に、当該画像情報に対して前記暗号化工程における暗号化を行ってから前記記憶工程で記憶するよう制御し、前記受信した画像情報がＩＰｓｅｃを用いて暗号化されずに送信されたと判定された場合に、当該画像情報に対して前記暗号化工程における暗号化を行わずに前記記憶工程で記憶するよう制御する制御工程と、を備えることを特徴とするファクシミリ装置の受信処理方法を提供する。
【００１７】
本発明は、上記目的を達成するため、ＩＰネットワークを介してファクシミリ通信可能なファクシミリ装置の受信処理方法であって、前記ＩＰネットワークを介して送信された画像情報を受信する受信工程と、前記受信した画像情報に対して、当該画像情報が暗号化されて送信されたことを示す付加画像情報を付加する付加工程と、前記受信した画像情報を印刷する印刷工程と、前記受信した画像情報が暗号化されて送信されたか否かを判定する判定工程と、前記判定工程において、前記受信した画像情報が暗号化されて送信されたと判定された場合に、当該画像情報に対して前記付加工程における前記付加画像情報の付加を行ってから前記印刷工程で印刷するよう制御し、前記受信した画像情報が暗号化されずに送信されたと判定された場合に、当該画像情報に対して前記付加工程における前記付加画像情報の付加を行うことなく前記印刷工程で印刷するよう制御する制御工程と、を備えることを特徴とするファクシミリ装置の受信処理方法を提供する。
【発明の効果】
【００１８】
本発明によれば、ファクシミリ通信により送受信されるデータが、盗聴されたり、改ざんされたりすることを防ぐことができる。
【発明を実施するための最良の形態】
【００１９】
以下、本発明の実施の形態について図面を参照しながら説明する。
【００２０】
図１は本発明の一実施の形態に係るファクシミリ装置を収容するネットワークを模式的に示す図である。
【００２１】
ネットワークは、図１に示すように、インターネットまたはイントラネットなどのＩＰネットワーク１０３を備える。ＩＰネットワーク１０３には、ＩＰｓｅｃを用いたＩＰ−ＦＡＸ通信を行うことが可能な複数のデジタル複合機１０１，１０２が接続されている。
【００２２】
ＩＰｓｅｃを用いたＩＰ−ＦＡＸ通信とは、ＩＰｓｅｃの鍵交換、認証、暗号化の各機能を用いて発信者の認証を行うとともに、原稿から読み取られた画像に基づくＩＦＰパケットをＩＰｓｅｃにより暗号化して送信するファクシミリ通信である。ここで、例えばデジタル複合機１０１を送信側とし、デジタル複合機１０２を受信側として、ＩＰｓｅｃを用いたＩＰ−ＦＡＸ通信を行う場合を想定する。
【００２３】
この場合、デジタル複合機１０１（送信側）は、ファシミリ信号（手順信号または符号化された画データ）を生成する。このファクシミリ信号は、ＩＦＰパケットに変換される。この際、ＩＦＰパケットは、ＩＰｓｅｃに従って暗号化される。そして、暗号化されたＩＦＰパケットは、デジタル複合機１０１からＩＰネットワーク１０３上に送出される。
【００２４】
デジタル複合機１０２（受信側）は、暗号化されたＩＦＰパケットを受信すると、当該暗号化されたＩＦＰパケットを平文のＩＦＰパケットに復号化する。そして、平文のＩＦＰパケットは、元のファクシミリ信号すなわち符号化された画像データに変換される。ここで、本実施の形態においては、さらに、上記画像データが予め設定されている暗号化方式を用いて、暗号化され、メモリに蓄積される。メモリ内の暗号化された画像データは、対応するユーザから入力された復号鍵を用いて復号化され、印刷出力される。
【００２５】
このように、ＩＰｓｅｃを用いたＩＰ−ＦＡＸ通信の場合、暗号化されたＩＦＰパケットがＩＰネットワーク１０３上を伝送される。よって、ＩＰｓｅｃを用いたＩＰ−ＦＡＸ通信は、ＩＰネットワーク１０３上を伝送されるファクシミリ信号が、盗聴されたり、改ざんされたりすることを防ぐことが可能である。
【００２６】
また、受信側においては、受信した画像データがさらに暗号化されて蓄積されるので、受信した画像データを、盗聴、改ざんなどの脅威から保護することが可能である。
【００２７】
次に、デジタル複合機１０１，１０２に構成について図２を参照しながら説明する。図２は図１のデジタル複合機１０１，１０２の構成を示すブロック図である。
【００２８】
デジタル複合機１０１，１０２は、図２に示すように、スキャナ部２０１、プリンタ部２０２、操作／表示部２０３、符号化／復号部２０４、およびネットワーク制御部２０５を備える。また、デジタル複合機１０１，１０２は、システムメモリ２０６、ページメモリ２０７、システム制御部２０８、暗号化部２０９およびハードディスク（以下、ＨＤという）２１０を備える。これらのブロック２０１〜２１０は、システムバス２１１に接続される。
【００２９】
スキャナ部２０１は、指定された読取モード（例えば紙サイズ、解像度、濃度などの指定を含む）で原稿を読み取る。プリンタ部２０２は、用紙上に画像を印刷し、当該用紙を、フィニッシャーなどの排紙装置（図示せず）を介して、排紙トレイ上に出力する。操作／表示部２０３は、ユーザが各種設定のための入力操作を行うための操作パネルと、設定されたモードおよびその内容、装置の動作状態などを表示する表示パネルを含む。
【００３０】
符号化／復号部２０４は、ファクシミリ通信時には、スキャナ部２０１により読み取られた画像データを符号化し、また、受信したファクシミリ信号（符号化された画像データ）を復号し、元の画像データに復元する。
【００３１】
ネットワーク制御部２０５は、ＩＰネットワーク１０３を接続し、ＩＰネットワーク１０３上の他の機器との間でファクシミリ通信を行う。本実施の形態においては、ファクシミリ通信として、ＩＰｓｅｃを用いない通常のＩＰ−ＦＡＸ通信と、ＩＰｓｅｃを用いたＩＰ−ＦＡＸ通信とが選択的に実施される。
【００３２】
ネットワーク制御部２０５は、ＩＰ−ＦＡＸ通信時には、呼設定、能力宣言、画像伝送、呼切断などの各処理を行う。ネットワーク制御部２０５は、ＩＰネットワーク１０３上の通信端末と接続された状態で、各手順信号、画信号を含むファクシミリ信号をＩＦＰパケットに変換し、当該ＩＦＰパケットを、ＩＰネットワーク１０３に送出する。また、ネットワーク制御部２０５は、ＩＰ−ＦＡＸ通信時によりＩＦＰパケットを受信すると、当該受信したＩＦＰパケットを元のファクシミリ信号に戻す。
【００３３】
ＩＰｓｅｃを用いたＩＰ−ＦＡＸ通信時には、ネットワーク制御部２０５は、ＩＰｓｅｃにより、ＩＦＰパケットを暗号化してＩＰネットワーク１０３に送出する。また、ネットワーク制御部２０５は、暗号化されたＩＦＰパケットを受信すると、当該暗号化されたＩＦＰパケットを平文のＩＦＰパケットへ戻し、さらに当該元のＩＦＰパケットを元のファクシミリ信号に戻す。このように、ＩＰｓｅｃを用いたＩＰ−ＦＡＸ通信は、ＩＰｓｅｃを用いないＩＰ−ＦＡＸ通信と比較して、暗号化されたＩＦＰパケットを送受信する点で異なるが、呼設定、能力宣言、画像伝送、呼切断などに関する手順は、同じである。
【００３４】
システムメモリ２０６は、装置を制御するためのプログラムおよび当該制御に必要なデータが格納されているＲＯＭ、および制御の実行時に作業領域を提供するためのＲＡＭを含む。ページメモリ２０７は、符号化または復号を行う際に、１ページ分の画像データを展開するものである。システム制御部２０８は、システムメモリ２０６に格納されているプログラムに従い、システムバス２１１を介して、各ブロック２０１〜２０７，２０９，２１０の動作を制御するＣＰＵ（図示せず）を有する。
【００３５】
暗号化部２０９は、予め設定された内容に応じて、ＩＰｓｅｃを用いない通常のＩＰ−ＦＡＸ通信またはＩＰｓｅｃを用いたＩＰ−ＦＡＸ通信により受信した画像データ（符号化された画像データ）を暗号化する。この暗号化された画像データは、ＨＤ２１０に格納される。また、暗号化部２０９は、暗号化された画像データを元の画像データに戻す（平文化）機能を有する。この暗号化部２０９に用いられる暗号化方式としては、例えば共通暗号系、公開鍵暗号系などの様々なものがあるが、特定の暗号化方式に限定されることはなく、いずれの暗号化方式を用いてよい。
【００３６】
ＨＤ２１０には、上記暗号化された画像データ（符号化された画像データ）、暗号化されていない画像データ（スキャナ部２０１により読み取られた画像データ、符号化された画像データ、復号された画像データ）などが蓄積される。また、ＨＤ２１０には、親展文書などの特定の受信文書を格納するための受信ボックスを、送信側から指定されたＦコードまたはパスワード（ＰＷＤ）に対応付けて設けることが可能である。例えば、送信側からＦコードまたはパスワード（ＰＷＤ）が指定された画像データを受信する（親展通信）と、当該受信した画像データは、指定されたＦコードまたはパスワード（ＰＷＤ）に対応する受信ボックスに格納されることになる。
【００３７】
次に、各デジタル複合機１０１，１０２のうち、デジタル複合機１０１を送信側とし、デジタル複合機１０２を受信側として、両者の間でＩＰ−ＦＡＸ通信を行う場合について説明する。このＩＰ−ＦＡＸ通信を行う場合には、ユーザの設定内容に応じて、ＩＰｓｅｃを用いたＩＰ−ＦＡＸ通信と、通常のＩＰ−ＦＡＸ通信（ＩＰｓｅｃを用いないＩＰ−ＦＡＸ通信）のいずれか一方が選択されて実施される。
【００３８】
まず、デジタル複合機１０１（送信側）においてユーザが行うＩＰ−ＦＡＸ通信に関する設定について図３を参照しながら説明する。図３は図１のデジタル複合機１０１（送信側）において表示されるＩＰ−ＦＡＸ通信設定画面の一例を示す図である。
【００３９】
ＩＰ−ＦＡＸ通信の設定を行う際には、操作／表示部２０３から入力されたユーザ操作に応じて、例えば図３に示すようなＩＰ−ＦＡＸ通信設定画面が操作／表示部２０３に表示される。このＩＰ−ＦＡＸ通信設定画面には、発信元記録３０１を設定するための複数の操作ボタン３０１ａ，３０１ｂ，３０１ｃと、通信モード３０２を設定するための複数の操作ボタン３０２ａ，３０２ｂ，３０２ｃとが表示される。
【００４０】
ここで、発信元記録３０１の設定に関して、操作ボタン３０１ａは、送信時刻、送信元電話番号などの発信に関する情報を送信文書に記録することを設定するボタンである。操作ボタン３０１ｂは、操作ボタン３０１ａが押下された状態において選択可能なボタンである。この操作ボタン３０１ｂが押下されると、ＩＰｓｅｃを用いたＩＰ−ＦＡＸ通信が行われたときに、その旨を示すマークを付加することが設定される。操作ボタン３０１ｃは、操作ボタン３０１ａと排他的に選択可能なボタンであり、操作ボタン３０１ｃが押下されると、発信に関する情報を送信文書に付加しないことが設定される。
【００４１】
通信モード３０２の設定に関して、操作ボタン３０２ａは、親展送信に用いるＦコード、パスワード送信に用いるＰＷＤ（パスワード）が指定されたときにＩＰｓｅｃを用いたＩＰ−ＦＡＸ通信を指定することを設定するためのボタンである。ここで、ＦコードとＰＷＤは、ＩＴＵ−Ｔ．３０に規定されているＳＵＢ（サブアドレス）とＰＷＤのそれぞれに該当するものである。操作ボタン３０２ｂは、Ｆコードおよびパスワードの指定の有無に関わらず、ＩＰｓｅｃを用いたＩＰ−ＦＡＸ通信を指定しないことを設定するためのボタンである。
【００４２】
このように各操作ボタン３０１ａ〜３０１ｃ，３０２ａ，３０２ｂを操作して設定された内容は、システムメモリ２０６のＲＡＭに格納される。
【００４３】
図３に示す画面例の場合、発信元記録３０１に関しては、操作ボタン３０１ａ，３０１ｂのそれぞれにより、発信元に関する情報の記録と、ＩＰｓｅｃを用いたＩＰ−ＦＡＸ通信が行われたときにその旨を示すマークの付加が設定されている。通信モード３０２に関しては、操作ボタン３０２ａにより、ＦコードまたはＰＷＤが指定されたときにＩＰｓｅｃを用いたＩＰ−ＦＡＸ通信を指定することが設定されている。
【００４４】
次に、デジタル複合機１０２（受信側）において受信側ユーザがＩＰ−ＦＡＸ通信に関する設定を行う場合について図４を参照しながら説明する。図４は図１のデジタル複合機１０２（受信側）において表示されるＩＰ−ＦＡＸ通信設定画面の一例を示す図である。
【００４５】
受信側のデジタル複合機１０２においてＩＰ−ＦＡＸ通信の設定を行う際には、操作／表示部２０３から入力されたユーザ操作に応じて、例えば図４に示すようなＩＰ−ＦＡＸ通信設定画面が操作／表示部２０３に表示される。このＩＰ−ＦＡＸ通信設定画面には、プリント情報記録４０１に関する設定を行うための複数の操作ボタン４０１ａ，４０１ｂ，４０１ｃと、蓄積モード４０２に関する設定を行うための複数の操作ボタン４０２ａ，４０２ｂ，４０２ｃとが表示される。
【００４６】
プリント情報記録４０１の設定に関して、操作ボタン４０１ａは、受信文書にフッタとして、受付番号、受信時フッタページＮｏ．などの受信に関する情報を記録することを設定するボタンである。操作ボタン４０１ｂは、操作ボタン４０１ａが押下された状態で選択操作可能なボタンである。この操作ボタン４０１ｂが押下されると、ＩＰｓｅｃを用いたＩＰ−ＦＡＸ通信が行われかつ受信文書が暗号化されて蓄積された場合に、その旨を示すマークを受信文書に付加することが設定される。操作ボタン４０１ｃは、操作ボタン４０１ａと排他的に選択可能なボタンであり、操作ボタン４０１ｃが押下されると、受信に関する情報を受信文書に記録しないことが設定される。
【００４７】
蓄積モード４０２に関して、操作ボタン４０２ａは、受信した文書を常に暗号化して蓄積することを設定するためのボタンである。操作ボタン４０２ｂは、ＩＰｓｅｃを用いたＩＰ−ＦＡＸ通信時にその受信文書を暗号化して蓄積することを設定するためのボタンである。操作ボタン４０２ｃは、ＦＡＸ通信がＩＰ−ＦＡＸ通信であるかＩＰｓｅｃを用いたＩＰ−ＦＡＸ通信であるかに関わらず、受信文書を暗号化せずに蓄積することを設定するためのボタンである。各操作ボタン４０２ａ〜４０２ｃは、排他的に選択可能なボタンである。
【００４８】
このように各操作ボタン４０１ａ〜４０１ｃ，４０２ａ〜４０２ｃを操作して設定された内容は、システムメモリ２０６のＲＡＭに格納される。
【００４９】
図４に示す画面例の場合、プリント情報記録４０１の設定に関しては、各操作ボタン４０１ａにより、受信文書にフッタとして受信に関する情報を記録することが設定されている。また、操作ボタン４０１ｂにより、ＩＰｓｅｃを用いたＩＰ−ＦＡＸ通信が行われかつ受信文書が暗号化されて蓄積された際にその旨を示すマークを受信文書に付加することが設定されている。また、蓄積モード４０２に関しては、操作ボタン４０２ｂにより、ＩＰｓｅｃを用いたＩＰ−ＦＡＸ通信時にその受信文書を暗号化して蓄積することが設定されている。
【００５０】
次に、送信側のデジタル複合機１０１において発信元記録３０１に関して図３に示す画面の設定内容が設定された場合の送信文書における発信に関する情報の記録例について図５を参照しながら説明する。図５は図３に示す画面の設定内容が設定された場合の送信文書における発信に関する情報の記録例を示す図である。
【００５１】
発信に関する情報は、図５に示すように、送信文書のヘッダに記録される。本例は、図３に示す画面の設定内容の場合のものである。すなわち発信元記録３０１に関しては、発信に関する情報の記録と、ＩＰｓｅｃを用いたＩＰ−ＦＡＸ通信が行われた際にその旨を示すマークの付加が設定されている。
【００５２】
詳細には、送信文書のヘッダに、ＩＰｓｅｃを用いたＩＰ−ＦＡＸ通信が行われた旨を示すマーク５０１と、発信に関する情報５０２（発信時刻、発信元電話番号）が記録される。ここでは、上記マーク５０１としての一例を示したが、これに限定されるものではない。例えば、ＩＰｓｅｃを用いたＩＰ−ＦＡＸ通信が行われたことを明示的に示す文言などでもよい。また、発信に関する情報５０２として、発信時刻、発信元電話番号が記録されている例を示したが、この他に、受付番号、発信先電話番号などの情報を記録するようにしてもよい。
【００５３】
このように、ＩＰＳｅｃを用いたＩＰ−ＦＡＸ通信が行われた際にその旨を示すマークが送信文書のヘッダに記録されるので、当該マークにより送信文書が、セキュリティレベルが高い暗号化通信により送信された文書であることを明示することができる。
【００５４】
次に、受信側のデジタル複合機１０２においてプリント情報記録４０１に関して図４に示す画面の設定内容が設定された場合の受信文書における受信に関する情報の記録例について図６を参照しながら説明する。図６は図４に示す画面の設定内容が設定された場合の受信文書における受信に関する情報の記録例を示す図である。
【００５５】
受信に関する情報は、図６に示すように、プリンタ部２０２により受信文書を印刷する際に、受信文書のフッタとして記録される。本例は、図４に示す画面の設定内容の場合のものである。すなわちプリント情報記録４０１に関しては、受信に関する情報の記録と、ＩＰｓｅｃを用いたＩＰ−ＦＡＸ通信が行われかつ受信文書が暗号化されて蓄積された際にその旨を示すマークを受信文書に付加することが設定されている。
【００５６】
詳細には、受信文書のフッタには、ＩＰｓｅｃを用いたＩＰ−ＦＡＸ通信が行われかつ受信文書が暗号化されて蓄積されたことを示すマーク６０１と、受信に関する情報６０２（受信時刻、受付番号、ページＮｏ．）が記録される。ここでは、上記マーク６０１としての一例を示したが、これに限定されるものではなく、ＩＰｓｅｃを用いたＩＰ−ＦＡＸ通信が行われかつ受信文書が暗号化されて蓄積されたことを明示的に示すようなマークであればよい。また、受信に関する情報６０２として、受信時刻、受付番号、ページＮｏ．が記録されている例を示したが、これに限定されることはなく、これ以外の情報を付加するようにしてもよい。
【００５７】
このように、ＩＰｓｅｃを用いたＩＰ−ＦＡＸ通信が行われかつ受信文書が暗号化されて蓄積された旨を示すマークにより、受信文書が、セキュリティレベルが高い暗号化通信により送信されかつ暗号化されて蓄積された文書であることを明示することができる。
【００５８】
次に、デジタル複合機１０１によるＩＰ−ＦＡＸ通信の送信処理について図７を参照しながら説明する。図７は図１のデジタル複合機１０１によるＩＰ−ＦＡＸ通信の送信処理の手順を示すフローチャートである。図７のフローチャートに示す手順は、システム制御部２０８により、システムメモリ２０６のＲＯＭに格納されているプログラムに従って実行される。
【００５９】
デジタル複合機１０１においてＩＰ−ＦＡＸ通信で文書を送信する際には、ユーザは、デジタル複合機１０１の操作／表示部２０３を介して、送信する文書、宛先（例えば送信先の電話番号、ＩＰアドレスなど）を指定するための操作を行う。また、必要に応じて、ＦコードまたはＰＷＤを指定するための操作が行われる。これらの操作によりそれぞれ指定された情報は、システムメモリ２０６内のＲＡＭに格納される。ここで、上述した発信元記録３０１に関する設定および通信モード３０２に関する設定は、既に行われているものとする。
【００６０】
次いで、ユーザにより送信が指示されると、図７に示すように、システム制御部２０８は、まず、システムメモリ２０６のＲＡＭに格納されている宛先を取得する（ステップＳ７０１）。そして、システム制御部２０８は、システムメモリ２０６のＲＡＭ内の通信モード３０２に関する設定値に基づいて、ＦコードまたはＰＷＤ指定時にＩＰｓｅｃを用いたＩＰ−ＦＡＸ通信の実施が指定されているか否かを判定する（ステップＳ７０２）。ここで、ＦコードまたはＰＷＤ指定時にＩＰｓｅｃを用いたＩＰ−ＦＡＸ通信の実施が指定されている場合、システム制御部２０８は、取得した宛先に対してＦコードまたはＰＷＤが指定されているか否かを判定する（ステップＳ７０３）。そして、ＦコードまたはＰＷＤが指定されている場合、システム制御部２０８は、ＩＰｓｅｃを用いたＩＰ−ＦＡＸ通信を行うことをネットワーク制御部２０５に指示する（ステップＳ７０４）。そして、システム制御部２０８は、本処理を終了する。
【００６１】
ＩＰｓｅｃを用いたＩＰ−ＦＡＸ通信の実施が指示されたネットワーク制御部２０５は、まず、ＩＰｓｅｃにより暗号化されたＳＩＰ（Session Initiation Protocol）パケットを送出し、取得した宛先が示す通信相手と接続するための呼設定を行う。これにより、通信相手との接続が確立されると、ネットワーク制御部２０５は、ＩＰｓｅｃにより暗号化されたＩＦＰパケットを送出し、能力宣言および画像伝送を行う。そして、画像伝送が終了すると、ネットワーク制御部２０５は、呼切断を行う。ここで、発信に関する情報の記録とＩＰｓｅｃを用いたＩＰ−ＦＡＸ通信が行われた旨を示すマークの記録が設定されている場合、送信文書には、発信に関する情報と上記マークとが含まれるヘッダが記録されることになる。
【００６２】
上記ステップＳ７０３においてＦコードまたはＰＷＤが指定されていないと判定された場合、システム制御部２０８は、通常のＩＰ−ＦＡＸ通信を行うことをネットワーク制御部２０５に指示する（ステップＳ７０５）。そして、システム制御部２０８は、本処理を終了する。
【００６３】
また、上記ステップＳ７０２においてＦコードまたはＰＷＤ指定時にＩＰｓｅｃを用いたＩＰ−ＦＡＸ通信の実施が指定されていないと判定された場合とは、通信モード３０２に関する設定として「指定しない」（３０２ｂ）が設定されている場合である。この場合も同様に、通常のＩＰ−ＦＡＸ通信を行うことがネットワーク制御部２０５に指示される（ステップＳ７０５）。
【００６４】
通常のＩＰ−ＦＡＸ通信を行うことが指示されたネットワーク制御部２０５は、まず、ＳＩＰ（Session Initiation Protocol）パケットを送出し、取得した宛先が示す通信相手と接続するための呼設定を行う。そして、通信相手との接続が確立されると、ネットワーク制御部２０５は、ＩＦＰパケットを送出し、能力宣言および画像伝送を行う。画像伝送が終了すると、ネットワーク制御部２０５は、呼切断を行う。
【００６５】
次に、発信に関する情報とＩＰｓｅｃを用いたＩＰ−ＦＡＸ通信が行われた旨を示すマークを記録する処理について図８を参照しながら説明する。図８は図１のデジタル複合機１０１において発信に関する情報とＩＰｓｅｃを用いたＩＰ−ＦＡＸ通信が行われた旨を示すマークを記録する処理の手順を示すフローチャートである。図８のフローチャートに示す手順は、システム制御部２０８により、システムメモリ２０６のＲＯＭに格納されているプログラムに従って実行される。
【００６６】
システム制御部２０８は、図８に示すように、まず、システムメモリ２０６のＲＡＭに格納されている情報を参照して、発信元記録が指定されているか否かを判定する（ステップＳ８０１）。ここで、発信元記録が指定されている場合、システム制御部２０８は、ネットワーク制御部２０５から、現在行われている通信に用いられているプロトコルを示す通信プロトコル情報を取得する（ステップＳ８０２）。そして、システム制御部２０８は、取得した通信プロトコル情報に基づいて現在の通信がＩＰｓｅｃを用いたＩＰ−ＦＡＸ通信であるか否かを判定する（ステップＳ８０３）。ここで、現在の通信がＩＰｓｅｃを用いたＩＰ−ＦＡＸ通信である場合、システム制御部２０８は、発信に関する情報とＩＰｓｅｃを用いたＩＰ−ＦＡＸ通信が行われた旨を示すマークとを含む発信元記録情報をヘッダ情報として生成する（ステップＳ８０４）。このヘッダ情報は、送信文書の各ページのヘッダとして付加される。そして、システム制御部２０８は、本処理を終了する。
【００６７】
これに対し、上記ステップＳ８０３において現在の通信モードがＩＰｓｅｃを用いたＩＰ−ＦＡＸ通信でないと判定された場合、システム制御部２０８は、発信に関する情報のみを含む発信元記録情報をヘッダ情報として生成する（ステップＳ８０４）。すなわち、ＩＰｓｅｃを用いたＩＰ−ＦＡＸ通信が行われた旨を示すマークが含まれておらず、発信に関する情報のみが含まれているヘッダ情報が生成される。このヘッダ情報は、送信文書の各ページのヘッダとして付加される。そして、システム制御部２０８は、本処理を終了する。
【００６８】
次に、デジタル複合機１０２によるＩＰ−ＦＡＸ通信の受信処理について図９を参照しながら説明する。図９は図１のデジタル複合機１０２によるＩＰ−ＦＡＸ通信の受信処理の手順を示すフローチャートである。図９のフローチャートに示す手順は、システム制御部２０８により、システムメモリ２０６のＲＯＭに格納されているプログラムに従って実行される。
【００６９】
デジタル複合機１０２がファクシミリ受信を開始すると、図９に示すように、システム制御部２０８は、まず、現在のＩＰ−ＦＡＸ通信がＩＰｓｅｃを用いたＩＰ−ＦＡＸ通信であるか否かを判定する（ステップＳ９０１）。ここで、現在のＩＰ−ＦＡＸ通信がＩＰｓｅｃを用いたＩＰ−ＦＡＸ通信である場合、システム制御部２０８は、ＩＰｓｅｃを用いたＩＰ−ＦＡＸ通信時に受信文書を暗号化して蓄積することが設定されているか否かを判定する（ステップＳ９０２）。ここで、ＩＰｓｅｃを用いたＩＰ−ＦＡＸ通信時に受信文書を暗号化して蓄積することが設定されている場合とは、当該設定が上述した図４に示すような画面上での操作ボタン４０２ｂの操作により行われている場合である。
【００７０】
この暗号化蓄積が設定されている場合、システム制御部２０８は、暗号化部２０９により受信文書を暗号化し、当該暗号化された受信文書をＨＤ２１０に蓄積するように制御する（ステップＳ９０３）。ここで、暗号化される受信文書は、ネットワーク制御部２０５において暗号化されたＩＦＰパケットから復元された受信文書（符号化された文書）である。また、暗号化された受信文書がＦコードまたはＰＷＤ（パスワード）が指定された文書である場合、当該受信文書は、ＨＤ２１０に設けられた、ＦコードまたはＰＷＤに対応するに対応する受信ボックスに格納される。
【００７１】
上記ステップＳ９０１において現在のＩＰ−ＦＡＸ通信がＩＰｓｅｃを用いたＩＰ−ＦＡＸ通信でないと判定された場合、システム制御部２０８は、常に受信文書を暗号化して蓄積することが設定されているか否かを判定する（ステップＳ９０４）。ここで、常に受信文書を暗号化して蓄積することが設定されている場合とは、上述した図４に示す画面上での操作ボタン４０１ａの操作により、上記設定が行われている場合である。この常に受信文書を暗号化して蓄積することが設定されている場合、システム制御部２０８は、暗号化部２０９により受信文書を暗号化し、当該暗号化された受信文書をＨＤ２１０に蓄積するように制御する（ステップＳ９０３）。
【００７２】
これに対し、常に受信文書を暗号化して蓄積することが設定されていない場合とは、上述した図４に示す画面上での操作ボタン４０１ｃの操作により、上記設定が行われている場合である。この場合、システム制御部２０８は、受信文書を暗号化せずに当該受信文書をＨＤ２１０に蓄積するように制御する（ステップＳ９０５）。
【００７３】
上記ステップＳ９０２においてＩＰｓｅｃを用いたＩＰ−ＦＡＸ通信時における受信文書の暗号化蓄積が設定されていないと判定された場合、システム制御部２０８は、常に受信文書の暗号化蓄積が設定されているか否かを判定する（ステップＳ９０４）。ここで、常に受信文書の暗号化蓄積が設定されている場合、システム制御部２０８は、暗号化部２０９により受信文書を暗号化し、当該暗号化された受信文書をＨＤ２１０に蓄積するように制御する（ステップＳ９０３）。これに対し、常に受信文書を暗号化して蓄積することが設定されていない場合、システム制御部２０８は、受信文書を暗号化せずに当該受信文書をＨＤ２１０に蓄積するように制御する（ステップＳ９０５）。
【００７４】
次に、ＨＤ２１０内の受信ボックスに暗号化されて蓄積された受信文書を、プリンタ部２０２により出力する手順について説明する。
【００７５】
上記受信ボックスの受信文書を読み出す際には、当該受信ボックスを所有するユーザにより本人認証に必要な情報（ＩＤコード、パスワードなどの）が入力される。これにより、受信ボックス内に蓄積されている受信文書の一覧を閲覧することが可能になる。
【００７６】
ここで、ユーザが受信文書の一覧から所望の暗号化された受信文書を選択して印刷出力する際には、当該受信文書を印刷出力するための指示操作がユーザにより行われるとともに、当該文書の暗号化を解くための鍵が入力される。上記受信文書および入力された鍵は、暗号化部２０９に与えられ、暗号化部２０９は、上記入力された鍵を用いて上記受信文書を元の文書（平文）に戻す。そして、平文に戻された受信文書は、プリンタ部２０２に送られ、プリンタ部２０２は、当該受信文書を印刷出力する。この際、印刷出力された受信文書には、図４に示す設定画面上で設定された内容に応じたフッタの記録が行われることになる。
【００７７】
図１０は、図１のデジタル複合機１０２において、ＩＰｓｅｃを用いたＩＰ−ＦＡＸ通信が行われた旨を示すマークを含む印刷記録情報をフッタ情報として生成する手順を示すフローチャートである。図１０のフローチャートに示す手順は、システム制御部２０８により、システムメモリ２０６のＲＯＭに格納されているプログラムに従って実行される。
【００７８】
システム制御部２０８は、図１０に示すように、まず、システムメモリ２０６のＲＡＭに格納されている情報を参照して、印刷記録が指定されているか否かを判定する（ステップＳ１００１）。ここで、印刷記録が指定されている場合、システム制御部２０８は、ネットワーク制御部２０５から、受信に用いられたプロトコルを示す通信プロトコル情報を取得する（ステップＳ１００２）。そして、システム制御部２０８は、取得した通信プロトコル情報に基づいて現在の通信がＩＰｓｅｃを用いたＩＰ−ＦＡＸ通信であるか否かを判定する（ステップＳ１００３）。ここで、現在の通信がＩＰｓｅｃを用いたＩＰ−ＦＡＸ通信である場合、システム制御部２０８は、ＩＰｓｅｃを用いたＩＰ−ＦＡＸ通信が行われた旨を示すマークを含む印刷記録情報をフッタ情報として生成する（ステップＳ１００４）。このフッタ情報は、受信文書の各ページのフッタとして付加される。そして、システム制御部２０８は、本処理を終了する。
【００７９】
これに対し、上記ステップＳ１００３において受信に用いられた通信モードがＩＰｓｅｃを用いたＩＰ−ＦＡＸ通信でないと判定された場合、システム制御部２０８は、ＩＰｓｅｃを用いたＩＰ−ＦＡＸ通信が行われた旨を示すマークを含まない印刷記録情報をフッタ情報として生成する（ステップＳ１００５）。このフッタ情報は、受信文書の各ページのフッタとして付加される。そして、システム制御部２０８は、本処理を終了する。
【００８０】
このように、ＩＰｓｅｃを用いたＩＰ−ＦＡＸ通信により送信された文書を受信した受信側ファクシミリ装置においては、受信した文書が暗号化されてＨＤ２１０に蓄積されるので、ＨＤ２１０に蓄積された受信文書を、盗聴、改ざんなどの脅威から確実に保護することができる。また、ＩＰｓｅｃを用いたＩＰ−ＦＡＸ通信により送信された文書に対しては、その旨を示す画像情報を付加して印刷するので、ユーザはセキュリティが守られた状態で文書が通信されたことを知ることができる。
【００８１】
本実施の形態においては、ファクシミリ装置１０１を送信側とし、ファクシミリ装置１０２を受信側として説明したが、送受信側を入れ替えた場合も同様である。
【図面の簡単な説明】
【００８２】
【図１】本発明の一実施の形態に係るファクシミリ装置を収容するネットワークを模式的に示す図である。
【図２】図１のデジタル複合機１０１，１０２の構成を示すブロック図である。
【図３】図１のデジタル複合機１０１（送信側）において表示されるＩＰ−ＦＡＸ通信設定画面の一例を示す図である。
【図４】図１のデジタル複合機１０２（受信側）において表示されるＩＰ−ＦＡＸ通信設定画面の一例を示す図である。
【図５】図３に示す画面の設定内容が設定された場合の送信文書における発信に関する情報の記録例を示す図である。
【図６】図４に示す画面の設定内容が設定された場合の受信文書における受信に関する情報の記録例を示す図である。
【図７】図１のデジタル複合機１０１によるＩＰ−ＦＡＸ通信の送信処理の手順を示すフローチャートである。
【図８】図１のデジタル複合機１０１において発信に関する情報とＩＰＳｅｃを用いたＩＰ−ＦＡＸ通信が行われた旨を示すマークを記録する処理の手順を示すフローチャートである。
【図９】図１のデジタル複合機１０２によるＩＰ−ＦＡＸ通信の受信処理の手順を示すフローチャートである。
【図１０】図１のデジタル複合機１０２においてＩＰＳｅｃを用いたＩＰ−ＦＡＸ通信が行われた旨を示すマークを記録する処理の手順を示すフローチャートである。
【符号の説明】
【００８３】
１０１，１０２  ファクシミリ装置
１０３  ＩＰネットワーク
２０１  スキャナ部
２０２  プリンタ部
２０３  操作／表示部
２０４  符号化／復号部
２０５  ネットワーク制御部
２０６  システムメモリ
２０８  システム制御部
２０９  暗号化部
２１０  ＨＤ
【図１】
2008182475.tif 000003
【図２】
2008182475.tif 000004
【図３】
2008182475.tif 000005
【図４】
2008182475.tif 000006
【図５】
2008182475.tif 000007
【図６】
2008182475.tif 000008
【図７】
2008182475.tif 000009
【図８】
2008182475.tif 000010
【図９】
2008182475.tif 000011
【図１０】
2008182475.tif 000012